(57)【特許請求の範囲】
【請求項１】
ハウジングケースに格子状に配置された端子を有するコネクタと、前記端子を挿入するための端子穴を有する制御基板とを備え、
前記コネクタを前記制御基板に直接取り付ける接続形態を有したコントローラユニットであって、
前記制御基板は、格子状の端子穴と、前記端子穴相互間を遮るように十字形状の切欠きを設けたことを特徴とするコントローラユニット。
【請求項２】
コネクタは、格子状に端子挿入部を有するハウジングケースの前記端子挿入部に端子を挿入して構成し、
前記コネクタの上面側の端子挿入部相互間を遮るように溝を形成したことを特徴とする請求項１記載のコントローラユニット。
【請求項３】
コネクタは、格子状に端子挿入部を有するハウジングケースの前記端子挿入部に端子を挿入して構成し、
前記端子挿入部の間に孔を設けた請求項１記載のコントローラユニット。
【請求項４】
コネクタは、格子状に端子挿入部を有するハウジングケースの前記端子挿入部に端子を挿入して構成し、
前記端子挿入部相互間を遮るように溝を形成すると共に、前記溝の一部分に孔を設け、
前記溝は前記孔に対して傾斜を設けて形成したことを特徴とする請求項１記載のコントローラユニット。
【請求項５】
制御基板の切欠きは、端子挿入部に設けた孔と同じか、それより大きくしたことを特徴とする請求項３または４記載のコントローラユニット。
【発明の詳細な説明】
【０００１】
【発明の属する技術分野】
本発明は、コントローラユニットに関するものである。
【０００２】
【従来の技術】
図６（ａ）は例えば従来のガス遮断装置等の制御基板の上面図、また、図６（ｂ）は同基板にコネクタを挿入する状態を示す側面図である。
【０００３】
図６（ａ）、（ｂ）に示すように、ガス遮断装置等のコントローラユニットの制御基板１にはコネクタ２を取り付けるためにコネクタ２の端子３を挿入する端子穴４を設けており、挿入するコネクタ２の端子３はハウジングケース５内に横１列に配置している構成であった。
【０００４】
【発明が解決しようとする課題】
しかしながら、図６（ｂ）に示すような、従来のガス遮断装置のコントローラユニットの制御基板１に取り付けるコネクタ２の端子３の間は狭く、制御基板１に水滴が付着した際、端子３の間が制御基板１に付着した水滴によって導通状態になるという問題があった。さらに制御基板１の端子穴４の間に切欠きを設けることで、端子３の間に水滴が溜まることを防ぐことはできるが、端子３の端子の間隔が広がるためにコネクタを複数に分割する必要が生じ、また、ハウジングケース５の横幅も広くなり、コネクタ２を制御基板１に挿入しづらくなるという問題があった。
【０００５】
本発明は、上記従来の問題点を解決すべく創案されたもので、制御基板１に付着した水滴による端子３の間の導通で誤動作を起こすようなことがないコントローラユニットを提供することを目的とする。
【０００６】
【課題を解決するための手段】
上記課題を解決するために、本発明のコントローラユニットは、ハウジングケースに格子状に配置された端子を有するコネクタと、前記端子を挿入するための端子穴を有する制御基板とを備え、前記コネクタを前記制御基板に直接取り付ける接続形態を有したコントローラユニットであって、前記制御基板は、格子状の端子穴と、前記端子穴相互間を遮るように十字形状の切欠きを設けたものである。本発明によれば、ハウジングケースの横幅を広くすることなく絶縁距離を確保することができる。また、前記切欠きの形状を端子穴相互間を遮るように十字形状とすることで、端子の間に水滴が溜まることを防ぎ、端子の間の水滴による導通で起こる誤作動を防止することができる。
【０００７】
【発明の実施の形態】
請求項１に記載の発明は、ハウジングケースに格子状に配置された端子を有するコネクタと、前記端子を挿入するための端子穴を有する制御基板とを備え、前記コネクタを前記制御基板に直接取り付ける接続形態を有したコントローラユニットであって、前記制御基板は、格子状の端子穴と、前記端子穴相互間を遮るように十字形状の切欠きを設けたことを特徴とするものである。そして、格子状に配置された端子を有するコネクタと、格子状の端子穴の間に当該端子穴相互間を遮るように切欠きを設けた制御基板により、ハウジングケースの横幅を広げて作業性を悪化させることなく、端子の間に水滴が溜まることを防ぐことができ、端子の間の水滴による導通で起こる誤作動を無くすことができる。
【０００８】
請求項２に記載の発明は、コネクタは、格子状に端子挿入部を有するハウジングケースの前記端子挿入部に端子を挿入して構成し、前記コネクタの上面側の端子挿入部相互間を遮るように溝を形成したことを特徴とするもので、端子挿入部の間に設けられた溝により、端子挿入部間に水滴が溜まることで端子の間が導通することを防ぐことができる。
【０００９】
請求項３に記載の発明は、コネクタは、格子状に端子挿入部を有するハウジングケースの前記端子挿入部に端子を挿入して構成し、前記端子挿入部の間に孔を設けたことを特徴とするもので、端子間に溜まる水滴を孔からハウジングケースの外に流すことができ、前記同様に端子の間が水滴により導通することを防ぐことができる。
【００１０】
請求項４に記載の発明は、コネクタは、格子状に端子挿入部を有するハウジングケースの前記端子挿入部に端子を挿入して構成し、前記端子挿入部相互間を遮るように溝を形成すると共に、前記溝の一部分に孔を設け、前記溝は前記孔に対して傾斜を設けて形成したことを特徴とするもので、溝に溜まった水滴を、孔からハウジングケース外に流れ出しやすくすることができる。
【００１１】
請求項５に記載の発明は、制御基板の切欠きは、端子挿入部に設けた孔と同じか、それより大きくしたことを特徴とするもので、ハウジングケースの外に流れ出す水滴が、制御基板に確実に触れないようにすることができる。
【００１２】
【実施例】
以下本発明の実施例について図面を用いて説明する。
【００１３】
（実施例１）
図１（ａ）は本発明の実施例１におけるガス遮断装置の制御基板の上面図であり、図１（ｂ）は同制御基板に取り付けるコネクタの正面図である。
【００１４】
また、図１（ｃ）は同制御基板に取り付けるコネクタの上面図である。
【００１５】
図１（ａ）、（ｂ）および（ｃ）において、ハウジングケース５に格子状に配置された端子３を有するコネクタ２と、端子３を挿入するための端子穴４を有し、端子穴４の間に十字形状の切欠き６を設けた制御基板１である。
【００１６】
図１において、制御基板１に設けられた端子穴４の間の切欠き６により、端子３の間の基板上に水滴が溜まることを防ぐことができ、端子３の間の水滴による導通によって起こるガス遮断装置の誤作動を無くし、ガス使用上の安全性を確保することができる。
【００１７】
またハウジングケース５の横幅を広げることがないので作業性を悪化させることがない。なお、実施例１では端子３の数を４本にしているが、端子３の数を増やしたとしても同様の効果が得られる。
【００１８】
（実施例２）
図２（ａ）は本発明の実施例２におけるガス遮断装置の制御基板に取り付けるコネクタの正面図であり、図２（ｂ）は同制御基板に取り付けるコネクタの上面図である。
【００１９】
図２において、端子挿入部７の間に溝８を設けたハウジングケース５で構成するコネクタ２である。端子挿入部７の間に設けられた溝８により、端子挿入部７の間に水滴が溜まることで端子３の間が導通することを防ぐことができる。
【００２０】
（実施例３）
図３（ａ）は本発明の実施例３におけるガス遮断装置の制御基板に取り付けるコネクタの正面図であり、図３（ｂ）は同制御基板に取り付けるコネクタの上面図である。
【００２１】
図３において、端子挿入部７の間に設けられた孔９により、端子３の間に溜まる水滴を孔９から排出することで、端子３の間が水滴により導通することを防ぐことができる。
【００２２】
（実施例４）
図４（ａ）は本発明の実施例４におけるガス遮断装置の制御基板に取り付けるコネクタの上面図であり、図４（ｂ）は図４（ａ）のＡ−Ａ線断面図である。
【００２３】
図４において、端子挿入部の間に設けた溝８と、溝８の底面に設けた孔９を設け、溝８は孔９に対して傾斜をつけたことを特徴としたハウジングケース５で構成するコネクタ２である。溝８に溜まる水滴が、傾斜を付けた溝８をつたって孔９からコネクタ２の外へ流すことができる。
【００２４】
（実施例５）
図５は本発明の実施例５におけるガス遮断装置の制御基板と取り付けるコネクタの構成図である。
【００２５】
図５において、端子挿入部７の間に孔９を設けたハウジングケース５で構成するコネクタ２と、孔９と同一の形状と大きさの切欠き６を設けた制御基板１である。孔９より流れ落ちる水滴を制御基板１に付着させることなく制御基板１の外へ流すことができる。なお、切欠き６は孔９よりも大きい場合も同様の効果が得られる。
【００２６】
【発明の効果】
以上のように本発明のコントローラユニットによれば、使用する制御基板に取り付けるコネクタの端子の間に水滴が溜まることを防ぎ、端子の間の水滴による導通で起こる誤作動を無くし、使用上の安全性を向上することができる。
【図面の簡単な説明】
【図１】  （ａ）本発明の実施例１におけるコントローラユニットの制御基板の上面図
（ｂ）同制御基板に取り付けるコネクタの正面図
（ｃ）同制御基板に取り付けるコネクタの上面図
【図２】  （ａ）本発明の実施例２におけるコントローラユニットの制御基板に取り付けるコネクタの正面図
（ｂ）同制御基板に取り付けるコネクタの上面図
【図３】  （ａ）本発明の実施例３におけるコントローラユニットの制御基板に取り付けるコネクタの正面図
（ｂ）同制御基板に取り付けるコネクタの上面図
【図４】  （ａ）本発明の実施例４におけるコントローラユニットの制御基板に取り付けるコネクタの上面図
（ｂ）図４（ａ）のＡ−Ａ線断面図
【図５】  本発明の実施例５におけるコントローラユニットの制御基板に取り付けるコネクタの斜視図
【図６】  （ａ）従来のコントローラユニットの制御基板の上面図
（ｂ）同制御基板と取り付けるコネクタの側面図
【符号の説明】
１  制御基板
２  コネクタ
３  端子
４  端子穴
５  ハウジングケース
６  切欠き
７  端子挿入部
８  溝
９  孔
【図１】
0003941492.tif 000002
【図２】
0003941492.tif 000003
【図３】
0003941492.tif 000004
【図４】
0003941492.tif 000005
【図５】
0003941492.tif 000006
【図６】
0003941492.tif 000007